(57)【特許請求の範囲】
【請求項１】
有機電界発光表示パネルの現在のフレームの表示モードが直前のフレームの表示モードと同一であるかを比べる表示モード比較段階と、
前記表示モードが変更された場合、標準表示モードから低電力表示モードに変更されたか、または低電力表示モードから標準表示モードに変更されたかを判断する表示モード判断段階と、
前記表示モード判断段階で前記標準表示モードから前記低電力表示モードに変更される場合、前記表示モード判断段階の後に前記有機電界発光表示パネルに第２電源を供給するために第２電源供給部の電源生成部をターンオンさせる第２電源供給段階と、
前記有機電界発光表示パネルに第１電源の供給を遮断するために第１電源供給部と第１スイッチング素子及び第２スイッチング素子をターンオフさせる第１電源遮断段階と、
前記表示モード判断段階で、前記低電力表示モードから前記標準表示モードに変更される場合、前記表示モード判断段階以後に前記有機電界発光表示パネルに第１電源を供給するために第１電源供給部をターンオンさせる第１電源供給段階と、
前記有機電界発光表示パネルに第２電源が供給されることを遮断するために第２電源供給部の電源生成部をターンオフさせる第２電源遮断段階と、を含み、
前記第２電源供給段階と前記第１電源遮断段階、及び、前記第１電源供給段階と前記第２電源遮断段階は、前記有機電界発光表示パネルにデータ信号が印加される期間以外の期間であって、前記有機電界発光表示装置にフレームのスタートを知らせる信号である同期信号が印加される期間に行われることを特徴とする有機電界発光表示装置の電源供給方法。
【請求項２】
前記第２電源供給段階は、前記第２電源供給部の前記電源生成部に第２イネーブル信号を印加し、前記電源生成部をターンオンさせることを特徴とする請求項１に記載の有機電界発光表示装置の電源供給方法。
【請求項３】
前記第１電源遮断段階は、前記第１電源供給部をターンオフさせる第１電源供給部オフ段階と、
前記第１スイッチング素子と前記第２スイッチング素子にスイッチング信号を印加して前記第１スイッチング素子と前記第２スイッチング素子をターンオフさせるスイッチング素子オフ段階と、
を含むことを特徴とする請求項１に記載の有機電界発光表示装置の電源供給方法。
【請求項４】
前記スイッチング素子オフ段階は、前記第１電源供給部オフ段階の後に一フレームのデータ信号が前記有機電界発光表示パネルに印加された後に進行されることを特徴とする請求項２に記載の有機電界発光表示装置の電源供給方法。
【請求項５】
前記一フレームのデータ信号は、ブラック映像のデータ信号であることを特徴とする請求項３に記載の有機電界発光表示装置の電源供給方法。
【請求項６】
前記第１電源供給段階は、前記第１電源供給部に第１イネーブル信号を印加し、前記第１電源供給部をターンオンさせる第１電源供給部オン段階と、
前記第１スイッチング素子と前記第２スイッチング素子にスイッチング信号を印加して前記第１スイッチング素子と前記第２スイッチング素子をターンオンさせるスイッチング素子オン段階と、
を含むことを特徴とする請求項１に記載の有機電界発光表示装置の電源供給方法。
【請求項７】
前記スイッチング素子オン段階は、前記第１電源供給部オン段階の後に一フレームのデータ信号が前記有機電界発光表示装置に印加された後に行われることを特徴とする請求項１に記載の有機電界発光表示装置の電源供給方法。
【請求項８】
前記一フレームのデータ信号は、ブラック映像のデータ信号であることを特徴とする請求項６に記載の有機電界発光表示装置の電源供給方法。
【発明の詳細な説明】
【技術分野】
【０００１】
本発明は、有機電界発光表示装置の電源供給方法に関し、より詳しくは、低電力表示モードにおいて、直流電源発生器の代わりに駆動集積回路から高電圧（ＥＬＶＤＤ）と低電圧（ＥＬＶＳＳ）を供給して有機電界発光表示パネルを動作させる有機電界発光表示装置の電源供給方法に関する。
【背景技術】
【０００２】
有機電界発光表示装置は、蛍光性または燐光性有機化合物を電気的に励起させて発光する表示装置として、Ｎ×Ｍ個の有機電界発光素子を駆動して映像を表示する。このような有機電界発光素子は、アノード（ＩＴＯ）、有機薄膜、カソード（Ｍｅｔａｌ）の構造を備える。有機薄膜は、電子と正孔との結合を介して光を発光する発光層（ＥＭｉｔｔｉｎｇ Ｌａｙｅｒ：ＥＭＬ）、電子を輸送する電子輸送層（Ｅｌｅｃｔｒｏｎ Ｔｒａｎｓｐｏｒｔ Ｌａｙｅｒ：ＥＴＬ）、及び正孔を輸送する正孔輸送層（Ｈｏｌｅ Ｔｒａｎｓｐｏｒｔ Ｌａｙｅｒ：ＨＴＬ）を含む多層構造から構成され、また別途の電子を注入する電子注入層（Ｅｌｅｃｔｒｏｎ Ｉｎｊｅｃｔｉｎｇ Ｌａｙｅｒ：ＥＩＬ）及び正孔を注入する正孔注入層（Ｈｏｌｅ Ｉｎｊｅｃｔｉｎｇ ＬａｙｅｒＨＩＬ）を含む。
【０００３】
最近では、陰極線管に比べて重さと体積が小さな各種の発光表示装置が開発されており、特に発光効率、輝度及び視野角が優れて応答速度が早い有機電界発光表示装置が注目されている。このような有機電界発光表示装置は、パーソナルコンピューター、携帯電話機、ＰＤＡなどの携帯情報端末機などの表示装置、または各種情報機器の表示装置として用いられている。
【０００４】
このような有機電界発光表示装置は、駆動回路及び画像を表示するパネルと前記パネルを制御する制御部及び前記パネルに直流電源を印加する直流電源発生器などが備えられる。
【０００５】
前記有機電界発光表示装置の直流電源発生器は、初期入力電源としてバッテリーなどの低電圧を用いるため、入力電源より高い有機電界発光素子を発光させる電圧を生成するためにはこの初期電源を所望電圧に変換させなければならない。すなわち、有機電界発光素子を発光させるためには、高電圧（ＥＬＶＤＤ）と低電圧（ＥＬＶＳＳ）を同時に生成する構造を有しなければならなく、このような高電圧（ＥＬＶＤＤ）と低電圧（ＥＬＶＳＳ）を生成するための直流電源発生器は複数の素子で構成されることによって電力消費量が増加する。また、直流電源発生器は、待機電力（ｑｕｉｅｓｃｅｎｔ ｃｕｒｒｅｎｔ）が大きいので、有機電界発光表示パネルが低電力表示モードで動作するときはパネルに印加される電力より待機電力による電力消費が大きいという問題点がある。待機電力を抑える技術としては、下記特許文献１に示すような技術がある。
【先行技術文献】
【特許文献】
【０００６】
【特許文献１】特開２００６−１８１４９号公報
【発明の概要】
【発明が解決しようとする課題】
【０００７】
本発明は、従来の問題点を解決するためになされたものであって、その目的は、低電力表示モードにおいて、直流電源発生器の代わりに駆動集積回路から供給される高電圧（ＥＬＶＤＤ）と低電圧（ＥＬＶＳＳ）で有機電界発光表示パネルを動作させて、低電力表示モードのときに直流電源発生器を用いて発生される不必要な待機電力の消耗を除去することができる有機電界発光表示装置の電源供給方法を提供することにある。
【０００８】
また、本発明の他の目的は、低電力表示モードで駆動集積回路から生成された既存の電圧である初期化電圧、接地及びガンマ補正部に印加される電圧などを有機電界発光表示パネルを駆動する高電圧（ＥＬＶＤＤ）と低電圧（ＥＬＶＳＳ）に用いることによって、駆動集積回路に別途のチャージポンプを追加せず、低電力表示モードに有機電界発光表示パネルを駆動することができる有機電界発光表示装置の電源供給方法を提供することにある。
【課題を解決するための手段】
【０００９】
上述の目的を達成するために本発明による有機電界発光表示装置の電源供給方法は、有機電界発光表示パネルの現在のフレームの表示モードが直前のフレームの表示モードと同一であるかを比べる表示モード比較段階と、前記表示モードが変更された場合、標準表示モードから低電力表示モードに変更されたか、または低電力表示モードから標準表示モードに変更されたかを判断する表示モード判断段階と、前記表示モード判断段階で前記標準表示モードから前記低電力表示モードに変更される場合、前記表示モード判断段階の後に前記有機電界発光表示パネルに第２電源を供給するために第２電源供給部の電源生成部をターンオンさせる第２電源供給段階と、前記有機電界発光表示パネルに第１電源の供給を遮断するために第１電源供給部と第１スイッチング素子及び第２スイッチング素子をターンオフさせる第１電源遮断段階と、前記表示モード判断段階で、前記低電力表示モードから前記標準表示モードに変更される場合、前記表示モード判断段階以後に前記有機電界発光表示パネルに第１電源を供給するために第１電源供給部をターンオンさせる第１電源供給段階と、前記有機電界発光表示パネルに第２電源が供給されることを遮断するために第２電源供給部の電源生成部をターンオフさせる第２電源遮断段階と、を含み、前記第２電源供給段階と前記第１電源遮断段階、及び、前記第１電源供給段階と前記第２電源遮断段階は、前記有機電界発光表示パネルにデータ信号が印加される期間以外の期間であって、前記有機電界発光表示装置にフレームのスタートを知らせる信号である同期信号が印加される期間に行われる。
【００１０】
前記第２電源供給段階は、前記第２電源供給部の前記電源生成部に第２イネーブル信号を印加し、前記電源生成部をターンオンさせることを特徴とする。
【００１１】
前記第１電源遮断段階は、前記第１電源供給部をターンオフさせる第１電源供給部オフ段階と、前記第１スイッチング素子と前記第２スイッチング素子にスイッチング信号を印加して前記第１スイッチング素子と前記第２スイッチング素子をターンオフさせるスイッチング素子オフ段階とを含むことができる。
【００１２】
前記スイッチング素子オフ段階は、前記第１電源供給部オフ段階の後に一フレームのデータ信号が前記有機電界発光表示パネルに印加された後に行われることができる。
【００１３】
前記一フレームのデータ信号は、ブラック映像のデータ信号であることができる。
【００１６】
前記第１電源供給段階は、前記第１電源供給部に第１イネーブル信号を印加し、前記第１電源供給部をターンオンさせる第１電源供給部オン段階と、前記第１スイッチング素子と前記第２スイッチング素子にスイッチング信号を印加して前記第１スイッチング素子と前記第２スイッチング素子をターンオンさせるスイッチング素子オン段階とを含むことができる。
【００１７】
前記スイッチング素子オン段階は、前記第１電源供給部オン段階以後に一フレームのデータ信号が前記有機電界発光表示装置に印加された後に行われることができる。
【発明の効果】
【００１９】
本発明の有機電界発光表示装置の電源供給方法によれば、低電力表示モードにおいて直流電源発生器の代わりに駆動集積回路を用いて画素が発光するための電圧である高電圧（ＥＬＶＤＤ）と低電圧（ＥＬＶＳＳ）を有機電界発光表示パネルに印加することで、低電力表示モードであるときに直流電源発生器を用いて発生される不必要な待機電力の消耗を除去することができる。
【００２０】
また、本発明の有機電界発光表示装置の電源供給方法によれば、低電力表示モードにおいて駆動集積回路から生成された既存の電圧である初期化電圧、接地及びガンマ補正部に印加される電圧などを有機電界発光表示パネルを駆動する高電圧（ＥＬＶＤＤ）と低電圧（ＥＬＶＳＳ）に用いることによって、駆動集積回路に別途のチャージポンプを追加せず、低電力表示モードで有機電界発光表示パネルを駆動することができる。
【図面の簡単な説明】
【００２１】
【図１】本発明による有機電界発光表示装置の基本構成を示すブロック図である。
【図２】図１の有機電界発光表示装置の画素回路が示されている。
【図３】本発明の一実施形態による有機電界発光表示装置を示すブロック図である。
【図４】図３の第２電源供給部の構成を示すブロック図である。
【図５】本発明の他の実施形態による有機電界発光表示装置の電源供給方法を示した手順図である。
【図６ａ】図３の有機電界発光表示装置の電源供給方法に関するタイミング図である。
【図６ｂ】図３の有機電界発光表示装置の電源供給方法に関するタイミング図である。
【発明を実施するための形態】
【００２２】
以下、本発明の属する技術分野の通常の知識を有する者が容易に実施できるように、本発明の実施形態について図面を参照して説明する。
【００２３】
ここで、本発明の実施形態において、類似の構成及び動作を有する部分について同様な図面符号を付けた。また、いずれかの部分が他の部分と電気的に連結（ｅｌｅｃｔｒｉｃａｌｌｙ ｃｏｕｐｌｅｄ）されていることは、直接的に連結されている場合のみならず、その中間に他の素子を間に置いて連結されている場合も含む。
【００２４】
図１には、本発明の実施形態による有機電界発光表示装置の基本構成を示すブロック図が示されている。
【００２５】
図１に示すように、有機電界発光表示装置１００は、走査駆動部１１０、データ駆動部１２０及び有機電界発光表示パネル（以下、「パネル」と称する）１３０を含むことができる。また、有機電界発光表示装置１００は、電源供給部１４０，１５０（図３参照）をさらに含むことができ、電源供給部１４０，１５０については、図３を用いて後述する。
【００２６】
走査駆動部１１０は、走査線（Ｓｃａｎ［１］、Ｓｃａｎ［２］、…、Ｓｃａｎ［ｎ］）を介してパネル１３０に走査信号を順次に供給することができる。
【００２７】
データ駆動部１２０は、データ線（Ｄａｔａ［１］、Ｄａｔａ［２］、…、Ｄａｔａ［ｍ］）を介してパネル１３０にデータ信号を供給することができる。
【００２８】
パネル１３０は、行方向に配列されている複数の走査線（Ｓｃａｎ［１］、Ｓｃａｎ［２］、…、Ｓｃａｎ［ｎ］）と、列方向に配列される複数のデータ線（Ｄａｔａ［１］、Ｄａｔａ［２］、…、Ｄａｔａ［ｍ］）と、複数の走査線（Ｓｃａｎ［１］、Ｓｃａｎ［２］、…、Ｓｃａｎ［ｎ］）及びデータ線（Ｄａｔａ［１］、Ｄａｔａ［２］、…、Ｄａｔａ［ｍ］）によって定義される画素回路（Ｐｉｘｅｌ）１３１を含むことができる。
【００２９】
ここで、画素回路１３１は、隣り合う２つの走査線と隣り合う２つのデータ線によって定義される画素領域に形成できる。上述のように走査線（Ｓｃａｎ［１］、Ｓｃａｎ［２］、…、Ｓｃａｎ［ｎ］）には、走査駆動部１１０から走査信号が供給され、データ線（Ｄａｔａ［１］、Ｄａｔａ［２］、…、Ｄａｔａ［ｍ］）にはデータ駆動部１２０からデータ信号が供給される。
【００３０】
図２には、図１の有機電界発光表示装置１００の画素回路１３１が示されている。以下で説明する画素回路は、図１に図示された有機電界発光表示装置１００に含まれる複数の画素回路のうち１つの画素回路（Ｐｉｘｅｌ）を意味する。
【００３１】
図２に示すように、本発明による有機電界発光表示装置１００の画素回路１３１は、第１走査線（Ｓｃａｎ［ｎ］）、第２走査線（Ｓｃａｎ［ｎ−１］）、データ線（Ｄａｔａ［ｍ］）、高電圧線（ＥＬＶＤＤ）、低電圧線（ＥＬＶＳＳ）、初期化線（Ｖｉｎｉｔ）、第１スイッチングトランジスタＳ１、第２スイッチングトランジスタＳ２、駆動トランジスタＭ１、容量性素子Ｃ１及び有機電界発光素子（ＯＬＥＤ）を含むことができる。
【００３２】
第１走査線（Ｓｃａｎ［ｎ］）は、発光させようとする有機電界発光素子（ＯＬＥＤ）を選択する走査信号を第１スイッチングトランジスタＳ１の制御電極に供給する役割を有する。このような第１走査線（Ｓｃａｎ［ｎ］）は、走査信号を生成する走査駆動部１１０（図１参照）に電気的に連結される。
【００３３】
第２走査線（Ｓｃａｎ［ｎ−１］）は、第１走査線（Ｓｃａｎ［ｎ］）より先に選択されるｎ−１番目の走査線を共通に連結して利用するということで、Ｓｃａｎ［ｎ−１］と表示した。第２走査線（Ｓｃａｎ［ｎ−１］）は、初期化電圧（Ｖｉｎｉｔ）を有機電界発光素子（ＯＬＥＤ）に印加するように第２スイッチングトランジスタＳ２の動作を制御する。
【００３４】
データ線（Ｄａｔａ［ｍ］）は、発光輝度に比例するデータ信号（電圧）を容量性素子Ｃ１の第２電極及び駆動トランジスタＭ１の制御電極に供給する役割を有する。このようなデータ線（Ｄａｔａ［ｍ］）は、データ信号を生成するデータ駆動部１２０（図１参照）に電気的に連結される。
【００３５】
高電圧線（ＥＬＶＤＤ）は、高電圧が有機電界発光素子（ＯＬＥＤ）に供給されるようにする。このような高電圧線（ＥＬＶＤＤ）は、高電圧を供給する第１電源供給部１４０（図３参照）または第２電源供給部１５０（図３参照）に連結される。
【００３６】
低電圧線（ＥＬＶＳＳ）は、低電圧が有機電界発光素子（ＯＬＥＤ）に供給されるようにする。このような低電圧線（ＥＬＶＳＳ）は、低電圧を供給する第１電源供給部１４０（図３参照）または第２電源供給部１５０（図３参照）に連結される。ここで、前記高電圧は、通常、低電圧に比べてハイレベル（ｈｉｇｈ ｌｅｖｅｌ）であることができる。
【００３７】
初期化線（Ｖｉｎｉｔ）は、初期化電圧が容量性素子Ｃ１に印加されるようにする。
【００３８】
前記初期化電圧は、現在のフレームの一つ前のフレームに容量性素子Ｃ１に保存されていた電圧を初期化させる。前記初期化電圧は、第２電源供給部１５０（図３参照）から印加されることができる。このとき、前記初期化電圧は、前記低電圧と同一な電圧であることができる。
【００３９】
第１スイッチングトランジスタＳ１は、第１電極（ドレイン電極またはソース電極）がデータ線（Ｄａｔａ［ｍ］）に電気的に連結され、第２電極（ソース電極またはドレイン電極）が駆動トランジスタＭ１の制御電極（ゲート電極）に電気的に連結され、制御電極が第１走査線（Ｓｃａｎ［ｎ］）に電気的に連結される。このような第１スイッチングトランジスタＳ１は、ターンオンされれば、データ信号を容量性素子Ｃ１の第２電極及び駆動トランジスタＭ１の制御電極に供給する。
【００４０】
第２スイッチングトランジスタＳ２は、第１電極が初期化線（Ｖｉｎｉｔ）に電気的に連結され、第２電極が駆動トランジスタＭ１の制御電極に電気的に連結され、制御電極が第２走査線（Ｓｃａｎ［ｎ−１］）に電気的に連結される。このような第２スイッチングトランジスタＳ２は、第２走査線（Ｓｃａｎ［ｎ−１］）を介して制御電極にローレベルの走査信号が印加されれば、ターンオンされ、容量性素子Ｃ１に保存されていた電圧を初期化させる。
【００４１】
駆動トランジスタＭ１は、第１電極が高電圧線（ＥＬＶＤＤ）に電気的に連結され、第２電極が有機電界発光素子（ＯＬＥＤ）のアノードに電気的に連結され、制御電極が第１スイッチングトランジスタＳ１の第２電極に電気的に連結される。このような駆動トランジスタＭ１は、Ｐ型チャネルトランジスタとして制御電極を介してローレベル（または、マイナス電圧）のデータ信号が印加されば、高電圧線（ＥＬＶＤＤ）から一定量の電流を有機電界発光素子（ＯＬＥＤ）の方に供給する役割を有する。前記ローレベル（または、マイナス電圧）のデータ信号は、容量性素子Ｃ１の第２電極に供給されて容量性素子Ｃ１を充電させるので、第１スイッチングトランジスタＳ１がターンオフされても一定時間の間に容量性素子Ｃ１の充電電圧によって駆動トランジスタＭ１の制御電極にローレベル（または、マイナス電圧）のデータ信号が継続して印加される。
【００４２】
図３には、本発明の一実施形態による有機電界発光表示装置を示すブロック図が示されている。
【００４３】
図３に示すように、有機電界発光表示装置１００は、有機電界発光表示パネル（パネル）１３０、第１電源供給部１４０、第２電源供給部１５０、第１スイッチング素子ＳＷ１及び第２スイッチング素子ＳＷ２を含む。有機電界発光表示装置１００は、さらに、図１に示された走査駆動部とデータ駆動部等が有機電界発光表示パネル１３０を動作するために連結できるが、このような走査駆動部とデータ駆動部は図１で説明したので、図３の図面には省略されている。以下、第１高電圧端子と第１高電圧はＥＬＶＤＤ１として、第１低電圧端子と第１低電圧はＥＬＶＳＳ１として、第２高電圧端子と第２高電圧はＥＬＶＤＤ２として、第２低電圧端子と第２低電圧はＥＬＶＳＳ２としてそれぞれの電圧端子と電圧は同一な図面符号を用いた。
【００４４】
パネル１３０は、電源供給部１４０，１５０から電圧（ＥＬＶＤＤ、ＥＬＶＳＳ）が供給されて、それぞれの画素回路１３１（図１参照）に供給する。それぞれの画素回路１３１（図２参照）は、高電圧（ＥＬＶＤＤ）と低電圧（ＥＬＶＳＳ）が供給され、高電圧（ＥＬＶＤＤ）から有機電界発光素子を経由して低電圧（ＥＬＶＳＳ）に駆動電流が流れる。前記駆動電流は、画素回路１３１（図１参照）に印加されるデータ信号に対応して有機電界発光素子（ＯＬＥＤ）を発光させる。
【００４５】
第１電源供給部１４０は、第１高電圧端子（ＥＬＶＤＤ１）と第１低電圧端子（ＥＬＶＳＳ１）がスイッチング素子（ＳＷ１、ＳＷ２）を介してパネル１３０に電気的に連結される。第１電源供給部１４０は、パネル１３０に第１電源（ＥＬＶＤＤ１、ＥＬＶＳＳ１）である第１高電圧（ＥＬＶＤＤ１）と第１低電圧（ＥＬＶＳＳ１）を供給する。第１電源供給部１４０は、パネル１３０が一般的な映像表示モード、すなわち、標準表示モードに動作する場合には、第２電源供給部１５０から印加される第１イネーブル信号（Ｅｎａｂｌｅ１）が印加されてパネル１３０に電圧を供給する。また、第１電源供給部１４０は、パネル１３０が一部分のみ動作する場合のような低電力表示モードに動作する場合には、パネル１３０に供給する電圧を遮断する。第１電源供給部１４０は、直流電源発生器で直流直流コンバータ（ＤＣ−ＤＣ Ｃｏｎｖｅｒｔｅｒ）を用いることができる。ここで、携帯用端末機などに採用される有機電界発光表示装置１００は、初期入力電源としてバッテリーなどの低電圧を用いるため、入力電源より高い有機電界発光素子１３１を発光させる電圧を生成するためには、この初期電源を所望電圧に昇圧または減圧する変換を必要とする。すなわち、有機電界発光素子１３１を発光させるためには、電圧差の大きい第１高電圧（ＥＬＶＤＤ１）と第１低電圧（ＥＬＶＳＳ１）を同時に生成する構造を有しなければならなく、このような第１電源供給部１４０は複数の素子で構成されることによって電力消費量が増加する。このような第１電源供給部１４０は、待機電力（ｑｕｉｅｓｃｅｎｔ ｃｕｒｒｅｎｔ）が大きいため、パネル１３０が低電力表示モードで動作するときはパネル１３０に印加される電力より、待機電力による電力消費が大きい。このような第１電源供給部１４０は、パネル１３０の表示モードが低電力表示モードであるときに消費する待機電力の消費を回避するために、標準表示モードにのみ第１電源（ＥＬＶＤＤ１、ＥＬＶＳＳ１）をパネル１３０に供給する。
【００４６】
第２電源供給部１５０は、第２高電圧端子（ＥＬＶＤＤ２）と第２低電圧端子（ＥＬＶＳＳ２）がパネル１３０に電気的に連結され、低電力表示モードに第２電源（ＥＬＶＤＤ２、ＥＬＶＳＳ２）である第２高電圧（ＥＬＶＤＤ２）と第２低電圧（ＥＬＶＳＳ２）をパネル１３０に供給する。第２電源（ＥＬＶＤＤ２、ＥＬＶＳＳ２）の電圧差は、第１電源供給部１４０から印加される第１電源（ＥＬＶＤＤ１、ＥＬＶＳＳ１）の電圧差より小さい。しかし、第２電源供給部１５０は、パネル１３０が部分動作して小電力でも動作することができる低電力表示モードに第２電源（ＥＬＶＤＤ２、ＥＬＶＳＳ２）をパネル１３０に印加するので、パネル１３０は第２電源（ＥＬＶＤＤ２、ＥＬＶＳＳ２）の電圧差が小さくても動作することができる。このように低電力表示モードには、第２電源供給部１５０を利用してパネル１３０に電圧を供給するので、第１電源供給部１４０が動作するときに発生される待機電力のような電力の消費を減らすことができる。
【００４７】
第２電源供給部１５０は、有機電界発光表示装置１００内の駆動集積回路（Ｄｒｉｖｅｒ Ｉｎｔｅｇｒａｔｅｄ Ｃｉｒｃｕｉｔ：Ｄｒｉｖｅｒ ＩＣ）内に形成でき、駆動集積回路（Ｄｒｉｖｅｒ ＩＣ）はトランジスタのような単一素子で形成可能なので、パネル１３０と同一基板に集積されて形成できる。このとき、第２電源（ＥＬＶＤＤ２、ＥＬＶＳＳ２）は、駆動集積回路（Ｄｒｉｖｅｒ ＩＣ）内のチャージポンプ（Ｃｈａｒｇｅ Ｐｕｍｐ）を利用して入力電圧である初期電圧（Ｖｉｎ）を昇圧または減圧して生成することができる。
【００４８】
第２高電圧（ＥＬＶＤＤ２）は、データ駆動部１２０のガンマ値を調節及び補正するガンマ補正部に印加される電圧と同一な電圧を用いることができる。また、第２低電圧（ＥＬＶＳＳ２）は、画素回路１３１（図２参照）に印加される初期化電圧（Ｖｉｎｉｔ）と同一な電圧を用いることができる。また、第２低電圧（ＥＬＶＳＳ２）は、有機電界発光表示装置１００に形成されたグラウンドリング（ｇｒｏｕｎｄ ｒｉｎｇ）に連結された接地（ＧＮＤ）電圧を用いることもできる。このように第２電源供給部１５０の第２電源（ＥＬＶＤＤ２、ＥＬＶＳＳ２）として、パネル１３０で使用している電圧を利用すれば、別途のチャージポンプ（Ｃｈａｒｇｅ Ｐｕｍｐ）を形成しなくても良いので、第２電源供給部１５０の大きさを減少することができる。または、第２低電圧（ＥＬＶＳＳ２）は、別途のチャージポンプ（Ｃｈａｒｇｅ Ｐｕｍｐ）を利用して入力電圧である初期電圧（Ｖｉｎ）を減圧してさらに低い電圧を生成して用いることもできる。
【００４９】
一般的に用いられる有機電界発光表示装置は、第１電源供給部１４０からパネル１３０に印加される第１高電圧（ＥＬＶＤＤ１）が約４．６Ｖであり、第２高電圧（ＥＬＶＳＳ１）が約−５．４Ｖとして、２つの電圧差は１０Ｖの差がある。また、第２電源供給部１５０から生成され、ガンマ補正部に印加される電圧は約４．２Ｖであり、初期化電圧（Ｖｉｎｉｔ）は約−２．０Ｖである。また、第２低電圧（ＥＬＶＳＳ２）は、別途のチャージポンプ（Ｃｈａｒｇｅ Ｐｕｍｐ）を用いて減圧すれば、−４．０Ｖの電圧を生成することもできる。このように生成された電圧において、第２高電圧（ＥＬＶＤＤ２）はガンマ補正部に印加される電圧（４．２Ｖ）を用いて、第２低電圧（ＥＬＶＳＳ２）は別途のチャージポンプを用いて生成された電圧（−４．０Ｖ）、初期化電圧（−２．０Ｖ）または接地電圧（０Ｖ）を用いることができる。このとき、パネル１３０に印加される第２高電圧（ＥＬＶＤＤ２）と第２低電圧（ＥＬＶＳＳ２）の電圧差は、第２高電圧（ＥＬＶＤＤ２）が４．２Ｖであり、第２低電圧（ＥＬＶＳＳ２）が別途のチャージポンプを用いて生成された電圧（−４．０Ｖ）を用いる場合は８．２Ｖであり、初期化電圧を用いる場合は６．２Ｖであり、接地電圧を用いる場合は４．２Ｖになる。第２高電圧（ＥＬＶＤＤ２）と第２低電圧（ＥＬＶＳＳ２）の電圧差は、低電力表示モードにパネル１３０に電圧を供給するので、第１電源供給部１４０から印加される第１高電圧（ＥＬＶＤＤ１）と第１低電圧（ＥＬＶＳＳ１）の差の電圧（１０Ｖ）より小さな電圧（８．２Ｖ、６．２Ｖ、４．２Ｖ）を用いてもパネル１３０を駆動することができる。
【００５０】
第１スイッチング素子ＳＷ１は、第１電源供給部１４０の第１高電圧端子（ＥＬＶＤＤ１）とパネル１３０との間に電気的に連結される。第１スイッチング素子ＳＷ１は、パネル１３０が低電力表示モード以外の動作モードである標準表示モードにターンオンされて第１高電圧（ＥＬＶＤＤ１）をパネル１３０に供給する。このとき、第１スイッチング素子ＳＷ１は、制御電極が第２電源供給部１５０と電気的に連結され、スイッチング信号ＳＷが印加されてパネル１３０が標準表示モードであるときにターンオンされる。
【００５１】
第２スイッチング素子ＳＷ２は、第１電源供給部１４０の第１低電圧端子（ＥＬＶＳＳ１）とパネル１３０との間に電気的に連結される。第２スイッチング素子ＳＷ２は、パネル１３０が低電力表示モード以外の動作モードである標準表示モードにターンオンされて第１低電圧（ＥＬＶＳＳ１）をパネル１３０に伝達する。このとき、第２スイッチング素子ＳＷ２は、制御電極が第２電源供給部１５０と電気的に連結され、スイッチング信号ＳＷが印加されてパネル１３０が標準表示モードであるときにターンオンされ、第１スイッチング素子ＳＷ１と同一に動作する。
【００５２】
第１スイッチング素子ＳＷ１と第２スイッチング素子ＳＷ２は、低電力表示モードにターンオフされて第２電源供給部１５０で第２電源（ＥＬＶＤＤ２、ＥＬＶＳＳ２）が第１電源供給部１４０の第１高電圧端子（ＥＬＶＤＤ１）と第１低電圧端子（ＥＬＶＳＳ１）を介して第１電源供給部１４０に印加されることを遮断する。このような第１スイッチング素子ＳＷ１と第２スイッチング素子ＳＷ２がない場合、低電力表示モードに第２電源供給部１５０から第２電源（ＥＬＶＤＤ２、ＥＬＶＳＳ２）がパネル１３０に印加されるとき、第１電源供給部１４０の出力端子である第１高電圧端子（ＥＬＶＤＤ１）と第１低電圧端子（ＥＬＶＳＳ１）を介して、第１電源供給部１４０に第２電源（ＥＬＶＤＤ２、ＥＬＶＳＳ２）が印加される。しかし、第１電源供給部１４０の第１高電圧端子（ＥＬＶＤＤ１）と第１低電圧端子（ＥＬＶＳＳ１）が高インピーダンス（ｉｍｐｅｄａｎｃｅ）状態であれば、第２電源供給部１５０から印加される第２電源（ＥＬＶＤＤ２、ＥＬＶＳＳ２）が出力端子である第１高電圧端子（ＥＬＶＤＤ１）と第１低電圧端子（ＥＬＶＳＳ１）を介して第１電源供給部１４０に印加されなくなる。したがって、第１電源供給部１４０の第１高電圧端子（ＥＬＶＤＤ１）と第１低電圧端子（ＥＬＶＳＳ１）が高インピーダンス（ｉｍｐｅｄａｎｃｅ）状態であれば、第１スイッチング素子ＳＷ１と第２スイッチング素子ＳＷ２を第１電源供給部１４０とパネル１３０との間に電気的に連結しなくても、第２電源（ＥＬＶＤＤ２、ＥＬＶＳＳ２）が第１電源供給部１４０に印加されることを遮断することができる。すなわち、第１高電圧端子（ＥＬＶＤＤ１）と第１低電圧端子（ＥＬＶＳＳ１）が高インピーダンス（ｉｍｐｅｄａｎｃｅ）状態であれば、第１スイッチング素子ＳＷ１と第２スイッチング素子ＳＷ２を省略しても、第２電源（ＥＬＶＤＤ２、ＥＬＶＳＳ２）が第１電源供給部１４０に印加されることを遮断することができる。
【００５３】
図４には、図３の第２電源供給部の構成を示すブロック図が示されている。
【００５４】
図４に示すように、第２電源供給部１５０は、モード判断部１５１、電源制御部１５２、電源生成部１５３、ガンマ補正部１５４及びタイミング制御部１５５を含む。
【００５５】
モード判断部１５１は、パネル１３０と電源制御部１５２との間に連結され、パネル１３０の表示モードが標準表示モードであるか、または低電力表示モードであるかを判断する。前記判断されたモードを電源制御部１５２に伝達する。このとき、モード判断部１５１は、直前のフレームにおけるパネル１３０の表示モードと、現在のフレームにおけるパネル１３０の表示モードとを比較して前記表示モードが同一である場合に、第１電源供給部１４０と第２電源供給部１５０は前のフレームと同一に動作するようになる。
【００５６】
電源制御部１５２は、モード判断部１５１と電源生成部１５３との間に連結され、モード判断部１５１から伝達されるモード信号によって電源生成部１５３に第２イネーブル信号（Ｅｎａｂｌｅ２）を印加して電源生成部１５３の動作を制御する。このとき、電源制御部１５２は、第１電源供給部１４０と電気的に連結され、第１電源供給部１４０（図３参照）に第１イネーブル信号（Ｅｎａｂｌｅ１）を印加して第１電源供給部１４０の動作を制御する。また、電源制御部１５２は、第１スイッチング素子ＳＷ１（図３参照）と第２スイッチング素子ＳＷ２（図３参照）の制御電極と電気的に連結され、第１スイッチング素子ＳＷ１と第２スイッチング素子ＳＷ２にスイッチング信号ＳＷを印加して第１スイッチング素子ＳＷ１と第２スイッチング素子ＳＷ２の動作を制御する。
【００５７】
電源生成部１５３は、昇圧部１５３ａと減圧部１５３ｂとを含む。昇圧部１５３ａは、初期電源（Ｖｉｎ）を昇圧して第２高電圧（ＥＬＶＤＤ２）を生成し、減圧部１５３ｂは初期電源（Ｖｉｎ）を減圧して第２低電圧（ＥＬＶＳＳ２）を生成し、第２電源（ＥＬＶＤＤ２、ＥＬＶＳＳ２）をパネル１３０に供給する。電源生成部１５３は、電源制御部１５２から第２イネーブル信号（Ｅｎａｂｌｅ２）が印加されてパネル１３０の表示モードが低電力表示モードであるときに動作し、標準表示モードであるときには動作が遮断される。
【００５８】
電源生成部１５３の昇圧部１５３ａから出力される第２高電圧（ＥＬＶＤＤ２）は、ガンマ補正部１５４に印加される。すなわち、第２電源供給部１５０は、ガンマ補正部１５４に印加される電圧と同一な電圧を第２高電圧（ＥＬＶＤＤ２）に用いて別途の昇圧部を形成しなくても良いので、第２電源供給部１５０の大きさを減少することができる。電源生成部１５３の減圧部１５３ｂから出力される第２低電圧（ＥＬＶＳＳ２）は、画素回路１３１（図２参照）に印加される初期化電圧（Ｖｉｎｉｔ）と同一な電圧、有機電界発光表示装置１００に形成されたグラウンドリング（ｇｒｏｕｎｄ ｒｉｎｇ）に連結された接地（ＧＮＤ）電圧または別途に減圧部１５３ｂで用いて生成した電圧を用いることができる。このとき、第２低電圧（ＥＬＶＳＳ２）は、初期化電圧（Ｖｉｎｉｔ）または接地（ＧＮＤ）電圧と同一な電圧を用いれば、別途の減圧部１５３ｂを形成しなくても良いので、第２電源供給部１５０の大きさを減少することができる。
【００５９】
なお、電源生成部１５３は、昇圧部１５３ａと減圧部１５３ｂ以外に走査駆動部１１０（図１参照）、データ駆動部１２０（図１参照）及びパネル１３０に印加される電圧を生成する別途の昇圧部と減圧部をさらに含むことができる。
【００６０】
ガンマ補正部１５４は、電源生成部１５３とデータ駆動部１２０との間に連結され、電源生成部１５３から第２高電圧（ＥＬＶＤＤ２）が印加され、データ駆動部１２０から印加されるデータ電圧（Ｄａｔａ＿ｉｎ）のガンマ値を補正して補正されたデータ電圧（Ｄａｔａ＿ｏｕｔ）をデータ駆動部１２０に出力する。
【００６１】
タイミング制御部１５５は、有機電界発光表示装置１００の走査駆動部１１０、データ駆動部１２０、パネル１３０及び電源供給部１４０，１５０と連結される。タイミング制御部１５５は、同期信号（Ｓｙｎｃ）を生成して走査駆動部１１０、データ駆動部１２０、パネル１３０及び電源供給部１４０，１５０に同期信号（Ｓｙｎｃ）を供給する。同期信号（Ｓｙｎｃ）は、走査駆動部１１０、データ駆動部１２０、パネル１３０及び電源供給部１４０，１５０に同一の時間に一フレームのスタートを知らせる信号である。
【００６２】
図５は、本発明の他の実施形態による有機電界発光表示装置の電源供給方法を示したフローを示す。
【００６３】
図５に示すように、本発明の実施形態による有機電界発光表示装置１００の電源供給方法は、表示モード比較段階Ｓ１、表示モード判断段階Ｓ２、第２電源供給段階Ｓ３１、第１電源遮断段階Ｓ４１、第１電源供給段階Ｓ３２及び第２電源遮断段階Ｓ４２を含む。ここで、第２電源供給段階Ｓ３１と第１電源遮断段階Ｓ４１は、表示モード判断段階Ｓ２で表示モードが標準表示モードから低電力表示モードに変更されたときの電源供給手順であり、第１電源供給段階Ｓ３２と第２電源遮断段階Ｓ４２は表示モード判断段階Ｓ２で表示モードが低電力表示モードから標準表示モードに変更されたときの電源供給手順である。このとき、第２電源供給段階Ｓ３１、第１電源遮断段階Ｓ４１、第１電源供給段階Ｓ３２及び第２電源遮断段階Ｓ４２は、走査駆動部１１０、データ駆動部１２０、パネル１３０及び電源供給部１４０，１５０に同一な時間に一フレームのスタートを知らせる信号である同期信号（Ｓｙｎｃ）が印加される期間に行われ、この期間は、パネル１３０にデータ信号が印加される期間以外の期間Ｔ１１，Ｔ２１（図６ａ及び図６ｂ参照）である。
【００６４】
表示モード比較段階Ｓ１では、パネル１３０の現在の表示モードが前のフレーム（以前フレーム）の表示モードと同一な表示モードであるかどうかを比較する。このとき、以前フレームと同一な表示モードの場合には、以前フレームと同一な電源が繰り返し供給される。また、以前フレームと同一な表示モードではない場合には、次の処理段階である表示モード判断段階Ｓ２に移る。
【００６５】
表示モード判断段階Ｓ２では、パネル１３０の表示モードが標準表示モードから低電力表示モードに変更された場合、第２電源供給段階Ｓ３１に処理が移るようになり、低電力表示モードから標準表示モードに変更された場合、第１電源供給段階Ｓ３２に処理が移る。すなわち、パネル１３０の表示モードが低電力表示モードに変更された場合には、第２電源供給部１５０を介してパネル１３０に電源を供給し、標準表示モードに変更された場合には第１電源供給部１４０を介してパネル１３０に電源を供給する。
【００６６】
第２電源供給段階Ｓ３１では、表示モード判断段階Ｓ２からパネル１３０の表示モードが標準表示モードから低電力表示モードに変更されたと判断されば、第２電源供給部１５０は第２イネーブル信号（Ｅｎａｂｌｅ２）が印加されてオンされ、パネル１３０に第２電源（ＥＬＶＤＤ２、ＥＬＶＳＳ２）を供給する。第２電源供給段階Ｓ３１が進行される以前フレームには、パネル１３０の表示モードが標準表示モードだったので、パネル１３０には第１電源供給部１４０から第１電源（ＥＬＶＤＤ１、ＥＬＶＳＳ１）が印加されている。よって、第２電源供給部１５０から第２電源（ＥＬＶＤＤ２、ＥＬＶＳＳ２）がパネル１３０に印加されば、第１電源供給部１４０から印加される第１電源（ＥＬＶＤＤ１、ＥＬＶＳＳ１）と第２電源供給部１５０から印加される第２電源（ＥＬＶＤＤ２、ＥＬＶＳＳ２）とがショート（ｓｈｏｒｔ）される。このとき、前記ショート（ｓｈｏｒｔ）によって第１電源供給部１４０から印加される第１電源（ＥＬＶＤＤ１、ＥＬＶＳＳ１）で第２電源供給部１５０から印加される第２電源（ＥＬＶＤＤ２、ＥＬＶＳＳ２）に電圧変化が行われ、パネル１３０に印加される電圧がショート（ｓｈｏｒｔ）によって小さく変更されるので、電圧変化による画面異常を防止することができる。
【００６７】
第１電源遮断段階Ｓ４１では、第１電源供給部１４０から印加される第１電源（ＥＬＶＤＤ１、ＥＬＶＳＳ１）と第２電源供給部１５０から印加される第２電源（ＥＬＶＤＤ２、ＥＬＶＳＳ２）とが第２電源供給段階Ｓ３１でショートされた後に第１電源供給部１４０をオフさせる。第１電源遮断段階Ｓ４１は、第１電源供給部１４０をオフさせる第１電源供給部オフ段階Ｓ４１ａと、第１スイッチング素子ＳＷ１および第２スイッチング素子ＳＷ２をオフさせるスイッチング素子オフ段階Ｓ４１ｂとを含む。スイッチング素子オフ段階Ｓ４１ｂは、第１電源供給部１４０とパネル１３０との間に電気的に連結されたスイッチング素子（ＳＷ１、ＳＷ２）がターンオフされて第２電源供給部１５０から第２電源（ＥＬＶＤＤ２、ＥＬＶＳＳ２）がパネル１３０に印加されるときに第１電源供給部１４０に漏洩電流（ｌｅａｋａｇｅ ｃｕｒｒｅｎｔ）が流れることを遮断することができる。また、スイッチング素子オフ段階Ｓ４１ｂは、第１電源供給部オフ段階Ｓ４１ａ以後に一フレームのデータ信号がパネル１３０に印加された後に行われる。このとき、第１電源供給部オフ段階Ｓ４１ａとスイッチング素子オフ段階Ｓ４１ｂとの間には、パネル１３０に一フレームのデータ信号が入力されるが、このとき、パネル１３０全体にブラックイメージのデータ信号を印加すれば、表示モードが変更されるときに電圧変化によってパネル１３０の画面異常を防止することができる。
【００６８】
第１電源供給段階Ｓ３２では、表示モード判断段階Ｓ２からパネル１３０の表示モードが低電力表示モードから標準表示モードに変更されたと判断されば、第１電源供給部１４０は第１イネーブル信号（Ｅｎａｂｌｅ１）が印加されてオンされ、第１スイッチング素子ＳＷ１と第２スイッチング素子ＳＷ２とがオンされてパネル１３０に第１電源（ＥＬＶＤＤ１、ＥＬＶＳＳ１）を供給する。第１電源供給段階Ｓ３２は、第１電源供給部１４０をオンさせる第１電源供給部オン段階Ｓ３２ａと、第１スイッチング素子ＳＷ１および第２スイッチング素子ＳＷ２をオンさせるスイッチング素子オン段階Ｓ３２ｂとを含む。第１電源供給部オン段階Ｓ３２ａでは、第１電源供給部１４０は第１イネーブル信号（Ｅｎａｂｌｅ１）が印加されることによりオンされて第１スイッチング素子ＳＷ１と第２スイッチング素子ＳＷ２で第１電源（ＥＬＶＤＤ１、ＥＬＶＳＳ１）を印加する。スイッチング素子オン段階Ｓ３２ｂは、第１電源供給部１４０とパネル１３０との間に電気的に連結されたスイッチング素子（ＳＷ１、ＳＷ２）がターンオンされてパネル１３０に第１電源供給部１４０から印加される第１電源（ＥＬＶＤＤ１、ＥＬＶＳＳ１）を供給する。また、スイッチング素子オン段階Ｓ３２ｂは、第１電源供給部オン段階Ｓ３２ａ以後に一フレームのデータ信号がパネル１３０に印加された後に行われる。このとき、第１電源供給部オン段階Ｓ３２ａとスイッチング素子オン段階Ｓ３２ｂとの間には、パネル１３０に一フレームのデータ信号が入力されるが、このとき、パネル１３０全体にブラックイメージのデータ信号を印加すれば、表示モードが変更されるときに電圧変化によってパネル１３０の画面異常を防止することができる。第１電源供給段階Ｓ３２が進行される以前フレームには、パネル１３０の表示モードが低電力表示モードだったので、パネル１３０には第２電源供給部１５０から第２電源（ＥＬＶＤＤ２、ＥＬＶＳＳ２）が印加されている。よって、第１電源供給部１４０から第１電源（ＥＬＶＤＤ１、ＥＬＶＳＳ１）がパネル１３０に印加されば、第２電源供給部１５０から印加される第２電源（ＥＬＶＤＤ２、ＥＬＶＳＳ２）と第１電源供給部１４０から印加される第１電源（ＥＬＶＤＤ１、ＥＬＶＳＳ１）がショート（ｓｈｏｒｔ）される。このとき、ショート（ｓｈｏｒｔ）によって第２電源供給部１５０から印加される第２電源（ＥＬＶＤＤ２、ＥＬＶＳＳ２）で第１電源供給部１４０から印加される第１電源（ＥＬＶＤＤ１、ＥＬＶＳＳ１）に電圧変化が行われ、パネル１３０に印加される電圧がショート（ｓｈｏｒｔ）によって小さく変更されるので、電圧変化による画面異常を防止することができる。
【００６９】
第２電源遮断段階Ｓ４２では、第１電源供給部１４０から印加される第１電源（ＥＬＶＤＤ１、ＥＬＶＳＳ１）と第２電源供給部１５０から印加される第２電源（ＥＬＶＤＤ２、ＥＬＶＳＳ２）が第１電源供給段階Ｓ３２からショートされた後に第２電源供給部１５０をオフさせて第２電源（ＥＬＶＤＤ２、ＥＬＶＳＳ２）がパネル１３０に印加されることを遮断する期間である。第２電源遮断段階Ｓ４２では、第１電源供給段階Ｓ３２で第１電源供給部１４０から印加される第１電源（ＥＬＶＤＤ１、ＥＬＶＳＳ１）と第２電源供給部１５０から印加される第２電源（ＥＬＶＤＤ２、ＥＬＶＳＳ２）がショートされた後に、第２電源供給部１５０をオフさせるので、電圧変更による画面異常を阻むことができる。
【００７０】
図６ａないし図６ｂには、図３の有機電界発光表示装置の電源供給方法に関するタイミング図が示されている。前記有機電界発光表示装置のタイミング図は、図５の有機電界発光表示装置の電源供給方法を示した手順図であり、第２電源供給段階Ｓ３１、第１電源遮断段階Ｓ４１、第１電源供給段階Ｓ３２及び第２電源遮断段階Ｓ４２を示したタイミング図である。このとき、図６ａの有機電界発光表示装置のタイミング図は、第２電源供給段階Ｓ３１と第１電源遮断段階Ｓ４１を示したタイミング図であり、図６ｂの有機電界発光表示装置のタイミング図は第１電源供給段階Ｓ３２と第２電源遮断段階Ｓ４２を示したタイミング図である。
【００７１】
図６ａに示すように、有機電界発光表示装置のタイミング図において、一フレーム（１ｆｒａｍｅ）は同期信号入力期間（Ｔ１１ａ）とデータ信号入力期間（Ｔ１２ａ）とを含む。同期信号入力期間（Ｔ１１ａ、Ｔ２１ａ）は、走査駆動部１１０、データ駆動部１２０、パネル１３０及び電源供給部１４０，１５０に同一な時間に一フレームのスタートを知らせる信号である同期信号（Ｓｙｎｃ）が印加される期間である。データ信号入力期間（Ｔ１２ａ、Ｔ２２ａ）は、パネル１３０にデータ信号が印加されてパネル１３０の画素回路１３１が動作して有機電界発光素子（ＯＬＥＤ）が発光する期間である。第２電源供給段階Ｓ３１と第１電源遮断段階Ｓ４１は、全部同期信号入力期間（Ｔ１１ａ、Ｔ２１ａ）に行われる。
【００７２】
先ず、パネル１３０の表示モードが標準表示モードから低電力表示モードに変更されれば、第１期間（Ｔ１ａ）が経過された後に第１電源供給部１４０から印加された第１電源（ＥＬＶＤＤ１、ＥＬＶＳＳ１）が遮断される。このとき、第１期間（Ｔ１ａ）の間、第２電源供給部１５０がオンされてパネル１３０に第２電源（ＥＬＶＤＤ２、ＥＬＶＳＳ２）を印加する。すなわち、第２電源供給部１５０から第２電源（ＥＬＶＤＤ２、ＥＬＶＳＳ２）がパネル１３０に印加された後に第１電源供給部１４０から印加された第１電源（ＥＬＶＤＤ１、ＥＬＶＳＳ１）が遮断されて第２期間（Ｔ１ｂ）の間に第１電源供給部１４０の第１電源（ＥＬＶＤＤ１、ＥＬＶＳＳ１）と第２電源供給部１５０の第２電源（ＥＬＶＤＤ２、ＥＬＶＳＳ２）がパネル１３０に同時に印加される。このとき、第１電源供給部１４０から印加される第１電源（ＥＬＶＤＤ１、ＥＬＶＳＳ１）で第２電源供給部１５０から印加される第２電源（ＥＬＶＤＤ２、ＥＬＶＳＳ２）に電圧変化が行われ、パネル１３０に印加される電圧が小さく変更されるので、電圧変化による画面異常を防止することができる。
【００７３】
パネル１３０の表示モードが標準表示モードから低電力表示モードに変更された後に一フレーム（１ｆｒａｍｅ）が経った後、第３期間（Ｔ１ｃ）が経過された後にスイッチング素子（ＳＷ１、ＳＷ２）がターンオフされる。スイッチング素子（ＳＷ１、ＳＷ２）がターンオフされて第２電源供給部１５０から第２電源（ＥＬＶＤＤ２、ＥＬＶＳＳ２）がパネル１３０に印加されるときに第１電源供給部１４０に漏洩電流（ｌｅａｋａｇｅ ｃｕｒｒｅｎｔ）が流れることを遮断することができる。このとき、一フレーム（１ｆｒａｍｅ）のデータ信号入力期間（Ｔ１２ａ）にブラックイメージのデータ信号を印加すれば、表示モードが変更されるときに電圧変化によってパネル１３０の画面異常を防止することができる。
【００７４】
図６ｂに示すように、有機電界発光表示装置のタイミング図は、一フレーム（１ｆｒａｍｅ）が同期信号入力期間（Ｔ１１ｂ）とデータ信号入力期間（Ｔ１２ｂ）とを含む。同期信号入力期間（Ｔ１１ｂ、Ｔ２１ｂ）は、走査駆動部１１０、データ駆動部１２０、パネル１３０及び電源供給部１４０，１５０に同一な時間に一フレームのスタートを知らせる信号である同期信号（Ｓｙｎｃ）が印加される期間である。データ信号入力期間（Ｔ１２ｂ、Ｔ２２ｂ）は、パネル１３０にデータ信号が印加されてパネル１３０の画素回路１３１が動作して有機電界発光素子（ＯＬＥＤ）が発光する期間である。第１電源供給段階Ｓ３２と第２電源遮断段階Ｓ４２は、全部同期信号入力期間（Ｔ１１ｂ、Ｔ２１ｂ）に行われる。
【００７５】
先ず、パネル１３０の表示モードが低電力表示モードから標準表示モードに変更されれば、第１期間（Ｔ２ａ）が経過された後に第１電源供給部１４０がターンオンされて第１電源（ＥＬＶＤＤ１、ＥＬＶＳＳ１）がスイッチング素子（ＳＷ１、ＳＷ２）に印加される。このとき、スイッチング素子（ＳＷ１、ＳＷ２）は、ターンオフされていてパネル１３０には第１電源供給部１４０の第１電源（ＥＬＶＤＤ１、ＥＬＶＳＳ１）が供給されない。
【００７６】
パネル１３０の表示モードが低電力表示モードから標準表示モードに変更された後に一フレーム（１ｆｒａｍｅ）が経った後、第３期間（Ｔ２ｃ）が経過された後にスイッチング素子（ＳＷ１、ＳＷ２）がターンオンされる。すなわち、パネル１３０の表示モードが低電力表示モードから標準表示モードに変更された後に一フレーム（１ｆｒａｍｅ）と、第３期間（Ｔ２ｃ）が経過された後に第１電源供給部１４０の第１電源（ＥＬＶＤＤ１、ＥＬＶＳＳ１）がパネル１３０に供給される。このとき、一フレーム（１ｆｒａｍｅ）のデータ信号入力期間（Ｔ１２ｂ）にブラックイメージのデータ信号を印加すれば、表示モードが変更されるときに電圧変化によってパネル１３０の画面異常を防止することができる。また、第３期間（Ｔ２ｃ）で、第４期間（Ｔ２ｄ）が経過された後に第２電源供給部１５０からパネル１３０に印加された第２電源（ＥＬＶＤＤ２、ＥＬＶＳＳ２）が遮断される。すなわち、第１電源供給部１４０から第１電源（ＥＬＶＤＤ１、ＥＬＶＳＳ１）がパネル１３０に印加された後、第２電源供給部１５０から印加された第２電源（ＥＬＶＤＤ２、ＥＬＶＳＳ２）が遮断されるので、第４期間（Ｔ２ｄ）の間は第１電源供給部１４０の第１電源（ＥＬＶＤＤ１、ＥＬＶＳＳ１）と第２電源供給部１５０の第２電源（ＥＬＶＤＤ２、ＥＬＶＳＳ２）がパネル１３０に同時に印加される。このとき、第２電源供給部１５０から印加される第２電源（ＥＬＶＤＤ２、ＥＬＶＳＳ２）で第１電源供給部１４０から印加される第１電源（ＥＬＶＤＤ１、ＥＬＶＳＳ１）に電圧変化が行われ、パネル１３０に印加される電圧が小さく変更されるので、電圧変化による画面異常を防止することができる。
【００７７】
以上、本発明は、有機電界発光表示装置を実施するための一実施形態に過ぎず、上述した特定の好適な実施例に限定されるものではなく、特許請求範囲から請求する本発明の基本概念に基づき、当該技術分野における通常の知識を有する者であれば、様々な実施変形が可能であり、そのような変形は本発明の特許請求範囲に属するものである。
【符号の説明】
【００７８】
１００  有機電界発光表示装置、
１１０  走査駆動部、
１２０  データ駆動部、
１３０  有機電界発光表示パネル、
１３１  画素（Ｐｉｘｅｌ）、
１４０  第１電源供給部、
１５０  第２電源供給部。
【図１】
0005502813.tif 000002
【図２】
0005502813.tif 000003
【図３】
0005502813.tif 000004
【図４】
0005502813.tif 000005
【図５】
0005502813.tif 000006
【図６ａ】
0005502813.tif 000007
【図６ｂ】
0005502813.tif 000008